(57)【特許請求の範囲】
【請求項１】
密閉空間の周囲の少なくとも一部を構成する仕上げ層構造であって、前記密閉空間から遠い順に、
ガスを発生する基層と、
前記ガスを遮断するガス遮断層と、
前記ガスを吸着するガス吸着層と、
仕上げ層と、
を備え、前記仕上げ層、前記ガス吸着層、前記ガス遮断層には積層方向に貫通する貫通孔が形成されている、
ことを特徴とする仕上げ層構造。
【請求項２】
請求項１に記載の仕上げ層構造であって、
前記仕上げ層は、
仕上げ材ガスを発生する仕上げ材と、
前記仕上げ材と前記ガス吸着層とを接着するとともに、前記仕上げ材ガスを通気する接着剤と、
を備え、
前記ガス吸着層は、前記ガス及び前記仕上げ材ガスを吸着する、
ことを特徴とする仕上げ層構造。
【請求項３】
請求項２に記載の仕上げ層構造であって、
前記接着剤は、無機変性アクリル樹脂の水性エマルジョン型接着剤である、
ことを特徴とする仕上げ層構造。
【請求項４】
請求項１乃至請求項３の何れかに記載の仕上げ層構造であって、
前記基層と前記ガス遮断層、及び、前記ガス遮断層と前記ガス吸着層はホットメルト樹脂で接着されている
ことを特徴とする仕上げ層構造。
【請求項５】
請求項１乃至請求項４の何れかに記載の仕上げ層構造であって、
前記密閉空間は、展示物を収容する空間である
ことを特徴とする仕上げ層構造。
【発明の詳細な説明】
【技術分野】
【０００１】
本発明は、仕上げ層構造に関する。
【背景技術】
【０００２】
美術館や博物館では、例えば塵埃や湿気から展示物を保護したり、また盗難を防止したりするため展示物を展示ケースに格納して展示することが行われている。
【０００３】
近年、展示ケースは、温湿度環境を保つために高気密なエアタイト型とすることが多くなっており、その内部は、ガスや空気が外部に漏れ出ない密閉空間になっている（例えば、特許文献１参照）。
【先行技術文献】
【特許文献】
【０００４】
【特許文献１】特開平１１−０７６００７号公報
【発明の概要】
【発明が解決しようとする課題】
【０００５】
展示物は、温度や湿度といった環境以外に、空気中に存在するアンモニアや有機酸（酢酸、ギ酸）といったガスから有害な影響を受けることがある。展示ケースのエアタイト化が進むことで、展示ケースの内装の構成素材などからわずかに発生する有害ガスの影響が無視できなくなり、展示ケース内（密閉空間）の環境が悪化するおそれがある。例えば、展示ケースなどの下地材（基層）として用いられている合板は、展示物に対して有害なガス（例えば、有機酸など）を発生することが知られている。エアタイト型の展示ケース内ではこれらのガスが蓄積され、展示物に有害な影響を与える濃度にまで上昇するおそれがある。
【０００６】
また、展示ケースの内装（仕上げ層）に鋲、釘、螺子などで貫通孔を形成することがある。このような貫通孔が形成されると、展示ケース内に有害ガスが流入しやすくなり、展示物が有害な影響を受けるおそれが高くなる。
【０００７】
本発明は、上記のような課題に鑑みてなされたものであって、その目的は、密閉空間へのガスの流入を抑制することにある。
【課題を解決するための手段】
【０００８】
かかる目的を達成するため、本発明の仕上げ層構造は、密閉空間の周囲の少なくとも一部を構成する仕上げ層構造であって、前記密閉空間から遠い順に、ガスを発生する基層と、前記ガスを遮断するガス遮断層と、前記ガスを吸着するガス吸着層と、仕上げ層と、を備え、前記仕上げ層、前記ガス吸着層、前記ガス遮断層には積層方向に貫通する貫通孔が形成されていることを特徴とする。
このような仕上げ層構造によれば、密閉空間へのガスの流入を抑制することができる。
【０００９】
かかる仕上げ層構造であって、前記仕上げ層は、仕上げ材ガスを発生する仕上げ材と、
前記仕上げ材と前記ガス吸着層とを接着するとともに、前記仕上げ材ガスを通気する接着剤と、を備え、前記ガス吸着層は、前記ガス及び前記仕上げ材ガスを吸着することが望ましい。
このような仕上げ層構造によれば、内装の仕上げ材が発生する仕上げ材ガスも密閉空間に流入しないようにすることができる。
【００１０】
かかる仕上げ層構造であって、前記接着剤は、無機変性アクリル樹脂の水性エマルジョン型接着剤であることが望ましい。
このような仕上げ層構造によれば、ガスの発生が少なく、透湿性がよい。また、常温・常圧で現場施工することができる。
【００１１】
かかる仕上げ層構造であって、前記基層と前記ガス遮断層、及び、前記ガス遮断層と前記ガス吸着層はホットメルト樹脂で接着されていることが望ましい。
このような仕上げ層構造によれば、ガスの発生が少なく、接着性が良い。
【００１２】
かかる仕上げ層構造であって、前記密閉空間は、展示物を収容する空間であることが望ましい。
このような仕上げ層構造によれば、展示物に有害な影響を与えないようにすることができる。
【発明の効果】
【００１３】
本発明によれば、密閉空間へのガスの流入を抑制することができる。
【図面の簡単な説明】
【００１４】
【図１】展示ケースの概略説明図である。
【図２】図２Ａは、比較例の仕上げ構造の構成の説明図であり、図２Ｂは、本実施形態の仕上げ層構造の構成の説明図である。
【図３】図３Ａ及び図３Ｂは、貫通孔が形成される場合の説明図である。
【発明を実施するための形態】
【００１５】
＝＝＝実施形態＝＝＝
以下、本実施形態の仕上げ構造を展示ケースに適用した場合について説明する。
【００１６】
＜＜展示ケース１の構成について＞＞
図１は、展示ケース１の概略説明図である。
【００１７】
展示ケース１は、美術館や博物館などの施設に設置されるものであり、層構造１０（仕上げ層構造に相当）と、透明なガラス面２０とを有している。なお、層構造１０は、ガラス面２０以外の面（壁面、天井側面、床側面）に設けられている。そして、層構造１０とガラス面２０とによって展示物の収容空間１００（密閉空間に相当）が形成されている。展示物は、収容空間１００内に収容されて展示されることになる。
【００１８】
＜＜層構造１０の構成について＞＞
図２Ａは比較例の層構造１０´の構成の説明図であり、図２Ｂは本実施形態の層構造１０の構成の説明図である。なお、同一構成の部分には同一符号を付し説明を省略する。
【００１９】
図２Ｂ（及び図１）に示すように、本実施形態の層構造１０は、収容空間１００から遠い順に、下地材１１（基層に相当）、ガスバリア層１２（ガス遮断層に相当）、ガス吸着シート１３（ガス吸着層に相当）、接着剤１４、及び、クロス１５を備えている。換言すると、層構造１０は、下地材１１、ガスバリア層１２、ガス吸着シート１３、接着剤１４、及び、クロス１５の各層が積層されて構成されている。なお、接着剤１４及びクロス１５は仕上げ層に相当し、以下の説明において、接着剤１４とクロス１５を合わせて仕上げ層と言うことがある。
【００２０】
下地材１１は、天然の木材で形成された合板などの木質下地である。この合板は展示物に対して有害なガス（例えば、有機酸など）を発生することが知られている。なお、有害ガスを減らすための工夫（例えば、３ヶ月以上枯らしたのちに使用する等）をしていたとしても、有害ガスの発生量は減少するものの、有害ガスが長期間にわたり継続して発生するおそれがある。そして、発生した有害ガスが収容空間１００に収容された展示物に有害な影響を与えるおそれがある。そこで、本実施形態の層構造１０では、後述するように有害ガスに対する対策を行っている。
【００２１】
ガスバリア層１２は、有害ガスを遮断する部材であり、例えば、金属箔や金属蒸着樹脂シートなどである。本実施形態では、ガスバリア層１２として、ＰＥＴフィルムにアルミ蒸着を施したもの（フィルム）を用いている。このようなフィルムは、アルミ密着性や酸素、水蒸気などのバリア性（遮断性）、光線遮断性に優れている。
【００２２】
ガス吸着シート１３は、ガスを吸着する部材であり、有機酸を吸着するもの、有機酸とアンモニアの両方を吸着するもの、あるいは、有機酸とアンモニアに加えて他の有害なガスも吸着するものなどが用いられる。本実施形態では、ガス吸着シート１３として、太平洋マテリアル株式会社製の商品名「エアチューンシート」を用いている。エアチューンシートは、アンモニア、酸性ガスなどの各種ガス吸着性能に優れている。また、エアチューンシートには天然粘土系調湿材料が抄き込まれており、迅速な調湿性能も発揮する。
【００２３】
接着剤１４は、ガス吸着シート１３とクロス１５との間に設けられて、ガス吸着シート１３とクロス１５を接着している。この接着剤１４は、良好な接着性を有するものであるのはもちろんのこと、ガス吸着シート１３が有害ガスを吸着するのを妨げない透湿性のある接着剤がよい。つまり、クロス１５が発生する有害ガス（仕上げ材ガスに相当）を通気するものがよい。
【００２４】
本実施形態では、接着剤１４として無機変性アクリル樹脂の水性エマルジョン型接着剤を用いている。この無機変性アクリル樹脂の水性エマルジョン型接着剤は、接着剤自身からの有害ガス（アンモニアや酢酸など）の発生が少なく、透湿性が良い。また、常温・常圧で現場施工することができる。
【００２５】
なお、下地材１１とガスバリア層１２、及び、ガスバリア層１２とガス吸着シート１３の接着にはホットメルト接着剤（ホットメルト樹脂に相当）が用いられている。ホットメルト接着剤とは、熱をかけて融かして 接着させる接着剤である。このホットメルト接着剤はガスの発生が少なく、接着性がよい。このようにホットメルト接着剤の場合、加熱が必要であるため、下地材１１、ガスバリア層１２、及び、ガス吸着シート１３は、工場において接着されている。
【００２６】
クロス１５は、内装仕上げ材である。クロス１５も接着剤１４と同様に透湿性のあるものがよい。また、有害ガス（仕上げ材ガス）の発生が少ないものほどよい。クロス１５としては、一般的に展示ケース内の内装壁に使用されている布クロスを使用することができる。なお、仕上げ層に有害ガスの発生の少ないものを用いていたとしても、わずかであるが有害ガスを発生するおそれがある。本実施形態では、ガス吸着シート１３を設けているので、仕上げ層（接着剤１４、クロス１５）が発生する有害ガスをガス吸着シートで吸着することができる。
【００２７】
図２Ａに示す比較例の層構造１０´は、下地材１１とクロス１５とが接着剤１４´によって接着されている。接着剤１４´は、変性澱粉又は酢酸ビニル樹脂エマルジョンであり、酢酸の発生量が多い。この比較例の場合、下地材１１が発生する有害ガスや、クロス１５及び接着剤１４´が発生する有害ガスが収容空間１００内の展示物に有害な影響を与えるおそれがある。
【００２８】
これに対し、本実施形態の層構造１０では、下地材１１が発生する有害ガスは、ガスバリア層１２により遮断される。また、本実施形態の仕上げ層は、有害ガスの発生量が非常に小さい。たとえ接着剤１４やクロス１５が有害ガスを発生しても、その有害ガスはガス吸着シート１３に吸着される。よって、収容空間１００への有害ガスの流入を抑制でき、収容空間１００内の環境は良好に保たれる。
【００２９】
また、本実施形態の展示ケース１などにおいて内装に貫通孔が形成されることがある。
【００３０】
図３Ａ及び図３Ｂは、貫通孔が形成される場合の説明図である。この例では鋲３０によって貫通孔１６が形成されている。
【００３１】
鋲３０は、展示物等を壁などに固定するための金属製の留め具である。鋲３０は、図３Ａに示すように、クロス１５、接着剤１４、ガス吸着シート１３、ガスバリア層１２を通って、下地材１１の内部まで打ち込まれている。
【００３２】
貫通孔１６は、図３Ａの鋲３０を引き抜くことにより、図３Ｂに示すように鋲３０の打ち込まれた部位のクロス１５、接着剤１４、ガス吸着シート１３、ガスバリア層１２を積層方向に貫通して設けられている。
【００３３】
もし仮に、ガス吸着シート１３を設けていなければ、下地材１１が発生した有害ガスは、貫通孔１６を通って収容空間１００に流入する。さらに、前述したように、仕上げ層（接着剤１４及びクロス１５）もわずかであるが有害ガスを発生するので、これらの有害ガスが展示物に有害な影響を与えるおそれがある。
【００３４】
本実施形態では、ガスバリア層１２と仕上げ層（クロス１５と接着剤１４）との間にガス吸着シート１３を設けているので、図３Ｂのように貫通孔１６が形成されていても、下地材１１が発生した有害ガスは、ガス吸着シート１３に吸着される。よって、有害ガスが収容空間１００に流入することを抑制できる。また、仕上げ層（クロス１５及び接着剤１４）が発生する有害ガスもガス吸着シート１３に吸着される。さらに、収容空間１００に有害ガスが存在していた場合もガス吸着シート１３に吸着される。このように、図３Ｂのように貫通孔１６が形成された場合にも、収容空間１００内の環境を良好に保つことが出来る。
【００３５】
以上説明したように、本実施形態の層構造１０は、展示ケース１における収容空間１００の周囲の面（ガラス面２０以外の面）を構成している。この層構造１０は、収容空間１００から遠い順に、有害ガスを発生する下地材１１と、有害ガスを遮断するガスバリア層１２と、有害ガスを吸着するガス吸着シート１３と、仕上げ層（接着剤１４、仕上げ材１５）とを備えている。これにより、図３Ｂのように、仕上げ層、ガス吸着シート１３、ガスバリア層１２に積層方向に貫通する貫通孔１６が形成されても、有害ガスが収容空間１００内に流入することを抑制できる。
【００３６】
なお、本実施形態では貫通孔１６は、鋲３０によって形成されていたが、他の部材（釘や螺子など）で形成されてもよい。例えば、展示ケース１の組み立て時など螺子固定する際に、螺子によって貫通孔が形成されてもよい。
【００３７】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００３８】
前述の実施形態では、層構造１０は展示ケース１に設けられていたが、これには限られない。例えば、部屋（展示室など）の内装に設けられていてもよい。
【符号の説明】
【００３９】
１  展示ケース
１０，１０´  層構造（仕上げ層構造）
１１  下地材（基層）
１２  ガスバリア層（ガス遮断層）
１３  ガス吸着シート（ガス吸着層）
１４，１４´  接着剤
１５  クロス（仕上げ材）
１６  貫通孔
２０  ガラス面
３０  鋲
１００  収容空間（密閉空間）
【図１】
0006715677.tif 000002
【図２】
0006715677.tif 000003
【図３】
0006715677.tif 000004